(57)【要約】      （修正有）【課題】完成後も稜近くでの安全な歩行を確保でき、また別途歩行路を設ける場合と比較すると構築コストが安く、さらに製造上の困難性のない擁壁ブロックを提供する。【解決手段】水平板部３と鉛直板部２とにより構成される土留め用Ｌ字形擁壁ブロックであって、該鉛直板部の最上部分には歩行用水平部２１が設けられている。また鉛直板部２の表面（露呈面）には凹凸がある。即ち、周縁にリブ構造による厚肉部分２３が形成されている。これにより、強度の劣化を余り来さないにもかかわらずコンクリート使用量を削減できるので、コストの軽減・製品の軽量化が図り易くなる。【選択図】図１
0003187707.tif 000002
【実用新案登録請求の範囲】
【請求項１】
水平板部と鉛直板部とにより構成される土留め用Ｌ字形擁壁ブロックであって、該鉛直板部の最上部分には歩行用水平部が設けられているものであることを特徴とする擁壁ブロック。
【請求項２】
鉛直板部露呈面の下端には、突条が設けられているものである請求項１記載の擁壁ブロック。
【請求項３】
鉛直板部露呈面の周縁には、リブが設けられているものである請求項１又は２記載の擁壁ブロック。
【考案の詳細な説明】
【技術分野】
【０００１】
本考案は、擁壁ブロックの構造に関する。
【背景技術】
【０００２】
プレキャストコンクリートブロックを連設して段差部分に擁壁を構築する工法は、現場打ち工法に比して工期が短くてすむため、従来より広く行われている。高さ３ｍに満たないいわゆる中小型擁壁においては主流と言って良い。
【０００３】
擁壁面は、強度的には８０度以下の挟角で傾斜していることが望ましいがその反面、土地の有効利用という観点からは鉛直である方が望ましい。その結果、高さ５ｍを超えるような大型擁壁の場合には傾斜させることが、中小型の場合には鉛直に近づけることが多いと言える。特に、段差を挟んで土地所有者が異なるという場合、土地を有効利用するには境界線の鉛直上方に擁壁面を構成させるのが最適である。
【先行技術文献】
【特許文献】
【０００４】
【特許文献１】特開２０１３−０７２２４４
【考案の概要】
【考案が解決しようとする課題】
【０００５】
鉛直型の擁壁ブロックの場合、標高の高い方の土地の「稜部分」は、直ちに落下の危険がある場所であって、しかも崩落しやすい箇所でもある。
また擁壁ブロックの上端高さに揃えて土砂が込められている（正確に言うと、この土砂を土留めするのが擁壁ブロックである）。従って上記「稜部分」は、自体はコンクリート製であり剛性があるが、これが土砂と高さを揃えて接することになる。
そうすると、雨や風で土砂部分が浸食されブロック上端と土地表面に段差が生じる。これは、極めて危険な状況であり、土地の有効利用という所期の目的が果たせない。
【課題を解決するための手段】
【０００６】
そこで本考案者は上記点に鑑み鋭意研究の結果遂に本考案をなしたものでありその特徴とするところは、水平板部と鉛直板部とにより構成される土留め用Ｌ字形擁壁ブロックであって、該鉛直板部の最上部分には歩行用水平部が設けられている点にある。
【０００７】
即ち本考案は、完成後も稜近くでの安全な歩行を約束するために、鉛直板部の最上部分に歩行用水平部を設けたＬ字形擁壁ブロックであると言える。
【０００８】
ここで「水平板部」「鉛直板部」における「水平」「鉛直」という語句は、厳密な意味での水平や鉛直を意味するものではない。まず、水平板部自体が水平方向に設置されるとは限らない。但し、水平板部が水平方向に設置されない場合でも、鉛直板部に関しては鉛直に近い（鉛直±１０度程度）ことが望ましい。従って、「水平板部」と「鉛直板部」の成す角度については、何ら限定しない。
【０００９】
本考案のＬ字形擁壁ブロックの大きさについても特に限定するものではないが、基本的に中小型擁壁のもの、即ち、概ね擁壁高さが３ｍ程度までのものが好ましい。
【００１０】
本考案のＬ字形擁壁ブロックの製造方法に関しては、従来例と大きく変わるものではなく、製造型内に配筋を施し、コンクリートを打設、その後養生を経て完成、というものである。
【考案の効果】
【００１１】
本考案に係るＬ字形擁壁ブロックは、以下述べる如き効果を有する極めて有用な考案である。
【００１２】
（１）  安全である。
（２）  別途歩行路を設ける場合と比較すると構築コストが安上がりである。
（３）  製造上の困難性がない。
【図面の簡単な説明】
【００１３】
【図１】本考案に係る擁壁ブロックの一例を示す概略斜視図である。
【図２】本考案に係る擁壁ブロックの施工状態の一例を示す概略断面図である。
【図３】本考案に係る擁壁ブロックの施工状態の一例を示す概略斜視図である。
【図４】本考案に係る擁壁ブロックの他の例を示すものであり、（ａ）は部分斜視図、（ｂ）は部分正面図である。
【考案を実施するための形態】
【００１４】
以下図面に基づいて本考案を更に詳細に説明する。
【実施例】
【００１５】
図１は、本考案に係る擁壁ブロック１（以下本考案ブロック１という）の一例を示すものであり図から明らかなように、鉛直板部２と水平板部３とにより構成されるＬ字形擁壁ブロックの一種である。また本考案ブロック１は、プレキャストコンクリートブロックであって、従来のブロックと同様、配筋されたものである。大きさは本例の場合、高さ１３００ｍｍ×幅２０００ｍｍ×奥行１０００ｍｍとしたが、これらのサイズ以外であっても良い（図示せず）。
【００１６】
従来の擁壁ブロックと最も異なるのは、本考案ブロック１の鉛直板部２の最上部分に水平方向に延出する部分として、その上面が水平な、歩行用水平部２１が設けられている点である。なお本例の歩行用水平部２１は、上面は水平であるが下面は強度を持つよう傾斜している。
【００１７】
この歩行用水平部２１は奥行３００ｍｍであって、その中央に排水用Ｖ字形溝２１１が設けられ、これをグレーチング２２で覆うものである。但し、排水溝やそれに伴う溝蓋を省略したものであっても良い。
【００１８】
また、歩行路となる歩行用水平部２１の稜側近くに防護柵や支柱を立てるといった安全対策を講じるか否かは、設置者が適宜選択すべき事項であるとして、本考案においては必須要件としていない。
【００１９】
また鉛直板部２の表面（露呈面）には凹凸がある。即ち、周縁にリブ構造による厚肉部分２３が形成されている。これにより、強度の劣化を余り来さないにもかかわらずコンクリート使用量を削減できるので、コストの軽減・製品の軽量化が図り易くなる。また、肉厚部分２３が表面（露呈面）の周縁にあるということは、ブロック連設時、隣接する本考案ブロック１と接するのは、この肉厚部分２３であるということを意味するが、接触面積が大きくなるということであり、連設強度の観点からも、作業性からも好都合である。
【００２０】
またリブ構造を採用しているので、鉛直板部２の露呈側下端に、突条５が形成されることになる。段差の上段と下段で所有者が異なるとき、上段の所有者Ａが本発明ブロック１を設置する際、隣接する土地（所有者Ｂ）との境界線Ｌを越えるわけにはゆかないので、図２に示すように突条５や歩行用水平部２１の先端が境界線Ｌぎりぎりの位置に来るようにする。
本考案者が試作したものでは、突条５の突出高さは５０ｍｍ程であったが、下端がこの程度突出しているだけで、倒れる時の回動の中心位置がブロック重心から離れることになるので擁壁は倒れにくいものとなる。
【００２１】
図３は、図１で示した本考案ブロック１を、予め掘削・整地がなされた設置現場に連設している状態を概略的に示すものである。
隣接する本考案ブロック１との接合は、鉛直板部２の下側両端の切欠部２４部分に、コンクリートを流し込み現場打ちすることで行なう。
その際例えば図４（ａ）（ｂ）のように、配筋された鉄筋４の一部が切欠部２４を構成する空間内に露出していると、コンクリート打設後の連結強度が高くなって好ましい。
【符号の説明】
【００２２】
１      本考案に係る擁壁ブロック
２      鉛直板部
２１    歩行用水平部
２１１  排水用Ｖ字形溝
２２    グレーチング
２３    肉厚部分
２４    切欠部
３      水平板部
４      鉄筋
５      突条
【図１】
0003187707.tif 000003
【図２】
0003187707.tif 000004
【図３】
0003187707.tif 000005
【図４】
0003187707.tif 000006